(57)【要約】【課題】手軽に画像処理装置によって読み取られた原稿の画像データを携帯端末装置側で取得することができる画像処理システムを提供する。【解決手段】画像処理システムは、複合機１１、サーバー５１、および携帯端末装置６１ａを含む。複合機１１は、パスワード設定部２５と、点滅パターン生成部２７と、光源点滅制御部２８とを備える。点滅パターン生成部２７は、パスワード設定部２５により設定されたパスワード、およびサーバー５１へネットワーク接続する際のサーバー５１のアドレス情報から、光源４４の点滅パターンを生成する。光源点滅制御部２８は、点滅パターン生成部２７により生成された光源４４の点滅パターンで、光源４４を点滅させるよう制御する。携帯端末装置６１ａは、撮像カメラ６５と、抽出部６８とを備える。抽出部６８は、撮像カメラ６５で撮像された光源４４の点滅パターンから、パスワードおよびサーバー５１のアドレス情報を抽出する。【選択図】図５
2018007025.tif 000002
【特許請求の範囲】
【請求項１】
原稿の画像を処理する画像処理装置、前記画像処理装置とネットワーク接続が可能な記憶装置、および前記記憶装置とネットワーク接続が可能な携帯端末装置を含む画像処理システムであって、
前記画像処理装置は、
前記原稿に対して光を照射する光源を含み、前記光源から照射された光の反射光から前記原稿の画像を読み取る画像読み取り部と、
前記画像読み取り部により読み取られた前記原稿の画像データ毎にパスワードを設定するパスワード設定部と、
前記画像読み取り部により読み取られた前記原稿の画像データ、および前記パスワード設定部により設定された前記パスワードを前記記憶装置に送信するよう制御する画像処理装置送信制御部と、
前記パスワード設定部により設定された前記パスワード、および前記記憶装置へネットワーク接続する際の前記記憶装置のアドレス情報から、前記光源の点滅パターンを生成する点滅パターン生成部と、
前記点滅パターン生成部により生成された前記光源の点滅パターンで、前記光源を点滅させるよう制御する光源点滅制御部とを備え、
前記記憶装置は、
前記画像処理装置から送信された前記画像データ、および前記パスワードを受信する記憶装置受信部と、
前記記憶装置受信部により受信された前記画像データ、および前記パスワードを記憶する記憶部と、
前記記憶装置受信部により受信された前記パスワードの認証を行うパスワード認証部と、
前記パスワード認証部により、前記パスワードの認証が成功すれば、前記画像データを前記携帯端末装置に送信するよう制御する記憶装置送信制御部とを備え、
前記携帯端末装置は、
前記光源点滅制御部により点滅するよう制御された前記光源の点滅パターンを撮像する撮像部と、
前記撮像部で撮像された前記光源の点滅パターンから、前記パスワードおよび前記記憶装置のアドレス情報を抽出する抽出部と、
前記抽出部により抽出された前記記憶装置のアドレス情報に基づいて、前記抽出部により抽出された前記パスワードを前記記憶装置に送信するよう制御する携帯端末装置送信制御部と、
前記携帯端末装置送信部により前記パスワードが送信され、前記パスワード認証部により認証が成功した後、前記記憶装置から送信される前記画像データを受信する携帯端末装置受信部とを備える、画像処理システム。
【請求項２】
前記記憶装置送信部は、前記画像データを前記携帯端末装置に送信すれば、前記画像データを前記携帯端末装置に送信した旨のデータを前記画像処理装置に送信し、
前記画像処理装置は、
前記画像処理装置側から発信される情報を表示する表示部と、
前記記憶装置から送信された前記画像データが送信された旨のデータを前記表示部に表示するよう制御する表示制御部とをさらに備える、請求項１に記載の画像処理システム。
【請求項３】
前記記憶装置と前記携帯端末装置とは、Ｗｉ−ｆｉ（ワイファイ）または４Ｇ回線で接続されている、請求項１または２に記載の画像処理システム。
【請求項４】
前記点滅パターン生成部は、複数の点滅パターンの中からいずれかを選択して前記光源の点滅パターンを生成し、
前記抽出部は、選択された前記点滅パターンに基づいて、前記パスワードおよび前記記憶装置のアドレス情報を抽出する、請求項１〜３のいずれか１項に記載の画像処理システム。
【請求項５】
前記光源は、レッド、グリーン、ブルーの三つの光源要素を有し、
前記点滅パターン生成部は、前記光源要素のいずれかを用いて、点滅パターンを生成する、請求項１〜４のいずれか１項に記載の画像処理システム。
【請求項６】
前記携帯端末装置通信部による前記記憶装置への通信は、一度のみである、請求項１〜５のいずれか１項に記載の画像処理システム。
【請求項７】
前記画像処理装置は、
閉じた状態で前記光源の上部を覆うように開閉可能な原稿押さえを含み、
前記光源点滅制御部は、前記原稿押さえが閉じられている状態で、前記光源を点滅させるよう制御する、請求項１〜６のいずれか１項に記載の画像処理システム。
【発明の詳細な説明】
【技術分野】
【０００１】
この発明は、画像処理システムに関するものである。
【背景技術】
【０００２】
複合機に代表される画像処理装置や画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に排出して印刷する。
【０００３】
画像形成装置に関する技術が、特開２０１４−１５０４７４号公報（特許文献１）に開示されている。
【０００４】
特許文献１に開示の画像形成システムは、発光部を有する画像形成装置と、画像形成装置と可視光通信及び可視光通信とは異なる通信方式による通常通信を行う携帯端末とを有する。画像形成装置は、発光部を用いた可視光通信により、画像形成装置内の情報を送信する可視光送信部と、可視光送信部の動作を制御する送信制御部とを備える。情報端末は、受光部と、受光部で可視光を受光して得られた情報に基づいて、送信側から送信された可視光通信情報を取得する情報取得部とを備える。情報取得部は、情報端末で情報取得部が動作可能になったとき、通常通信で画像形成装置と通信を行うことにより送信制御部に発光通信開始依頼を行う。送信制御部は、情報取得部から発光通信開始依頼を受けた場合であって可視光送信部が発光部を用いた情報の送信を停止しているとき、発光部を用いた情報の送信を実行させる。特許文献１に開示の画像形成システムは、このような構成を備えることを特徴としている。
【先行技術文献】
【特許文献】
【０００５】
【特許文献１】特開２０１４−１５０４７４号公報
【発明の概要】
【発明が解決しようとする課題】
【０００６】
画像形成システムや画像処理システムにおいては、画像処理装置に備えられる画像読み取り部で読み取られた画像データを、スマートフォンや携帯電話といった携帯端末装置に送信して取得したい場合がある。このような場合、画像処理装置と携帯端末装置とをＷｉ−ｆｉ（ワイファイ）通信等によって直接接続し、画像読み取り部より読み取られた画像データを、画像処理装置側から携帯端末装置側に送信する。
【０００７】
このような構成においては、一時的にでも、画像処理装置と携帯端末装置とを接続して、両者間における通信を確立させなければならない。しかし、このような通信の確立における手続きや操作は、ユーザーにとって煩雑となる場合がある。特に、例えば、画像処理装置がコンビニエンスストア等に設置されているような場合、設定の多大な事前準備作業等が必要となる場合も多く、また、セキュリティの観点からも、ユーザーが自ら所有する携帯端末装置とコンビニエンスストアに設定されている画像処理装置との間の直接の通信を手軽に確立させることは困難である。そうすると、画像処理装置側から携帯端末装置側へ、手軽に画像データを送信することができない。なお、このような状況は、特許文献１に開示の技術では、回避することができない。
【０００８】
この発明の目的は、手軽に画像処理装置によって読み取られた原稿の画像データを携帯端末装置側で取得することができる画像処理システムを提供することである。
【課題を解決するための手段】
【０００９】
この発明に係る画像処理システムは、原稿の画像を処理する画像処理装置、画像処理装置とネットワーク接続が可能な記憶装置、および記憶装置とネットワーク接続が可能な携帯端末装置を含む。画像処理装置は、画像読み取り部と、パスワード設定部と、画像処理装置送信制御部と、点滅パターン生成部と、光源点滅制御部とを備える。画像読み取り部は、原稿に対して光を照射する光源を含む。画像読み取り部は、光源から照射された光の反射光から原稿の画像を読み取る。パスワード設定部は、画像読み取り部により読み取られた原稿の画像データ毎にパスワードを設定する。画像処理装置送信制御部は、画像読み取り部により読み取られた原稿の画像データ、およびパスワード設定部により設定されたパスワードを記憶装置に送信するよう制御する。点滅パターン生成部は、パスワード設定部により設定されたパスワード、および記憶装置へネットワーク接続する際の記憶装置のアドレス情報から、光源の点滅パターンを生成する。光源点滅制御部は、点滅パターン生成部により生成された光源の点滅パターンで、光源を点滅させるよう制御する。記憶装置は、記憶装置受信部と、記憶部と、パスワード認証部と、記憶装置送信部とを備える。記憶装置受信部は、画像処理装置から送信された画像データ、およびパスワードを受信する。記憶部は、記憶装置受信部により受信された画像データ、およびパスワードを記憶する。パスワード認証部は、記憶装置受信部により受信されたパスワードの認証を行う。記憶装置送信部は、パスワード認証部により、パスワードの認証が成功すれば、画像データを携帯端末装置に送信する。携帯端末装置は、撮像部と、抽出部と、携帯端末装置送信部と、携帯端末装置受信部とを備える。撮像部は、光源点滅制御部により点滅するよう制御された光源の点滅パターンを撮像する。抽出部は、撮像部で撮像された光源の点滅パターンから、パスワードおよび記憶装置のアドレス情報を抽出する。携帯端末装置送信部は、抽出部により抽出された記憶装置のアドレス情報に基づいて、抽出部により抽出されたパスワードを記憶装置に送信する。携帯端末装置受信部は、携帯端末装置送信部によりパスワードが送信され、パスワード認証部により認証が成功した後、記憶装置から送信される画像データを受信する。
【発明の効果】
【００１０】
このような画像処理システムによれば、手軽に画像処理装置によって読み取られた原稿の画像データを携帯端末装置側で取得することができる。
【図面の簡単な説明】
【００１１】
【図１】この発明の一実施形態に係る画像処理システムの外観を示す概略図であり、ＡＤＦを閉じた状態を示す。
【図２】この発明の一実施形態に係る画像処理システムの外観を示す概略図であり、ＡＤＦを開けた状態を示す。
【図３】図１および図２に示す画像処理システムの構成を示すブロック図である。
【図４】画像読み取り部に備えられるＡＤＦの一部を示す概略断面図である。
【図５】複合機制御部の構成を示すブロック図である。
【図６】複合機により読み取られた原稿の画像データを、携帯端末装置において取得する場合の処理の流れを示すフローチャートである。
【図７】光源の点滅パターンの例を示す図である。
【図８】タッチパネルに表示される表示画面の一例を示す図である。
【発明を実施するための形態】
【００１２】
以下、この発明の実施の形態を説明する。図１および図２は、この発明の一実施形態に係る画像処理システムの外観を示す概略図である。図１は、後述するＡＤＦ２２を閉じた状態を示し、図２は、ＡＤＦ２２を開けた状態を示す。図３は、図１および図２に示す画像処理システムの構成を示すブロック図である。
【００１３】
図１〜図３を参照して、画像処理システム２４は、原稿の画像を処理する画像処理装置としての複合機１１、複合機１１とネットワーク接続が可能な記憶装置としてのサーバー５１、およびサーバー５１とネットワーク接続が可能な二台の携帯端末装置６１ａ、６１ｂを含む。携帯端末装置６１ａ、６１ｂは、例えば、複合機１１を操作可能な第一のユーザー、第一のユーザーと異なる第二のユーザーによってそれぞれ所有されるものである。
【００１４】
次に、複合機１１の構成について説明する。複合機１１は、画像処理に関し、複写機能、プリンター機能、ファクシミリ機能等、複数の機能を有する。複合機１１は、複合機制御部１２と、操作部１３と、画像読み取り部１４と、画像形成部１５と、給紙カセット１６と、複合機ハードディスク１７と、ネットワーク２３と接続するための複合機ネットワークインターフェース部１８とを備える。
【００１５】
複合機制御部１２は、複合機１１全体の制御を行う。なお、複合機制御部１２は、一時的にデータを記憶する主記憶メモリ１９を含む。操作部１３は、複合機１１側から発信する情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を後述する読み取り位置４１に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または後述するコンタクトガラス４３上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成して印刷する。複合機ハードディスク１７は、送信された画像データや入力された画像形成条件等、画像形成に関するデータを記憶する。
【００１６】
次に、この発明の一実施形態に係る複合機１１に備えられる画像読み取り部１４および画像読み取り部１４に含まれるＡＤＦ２２の構成について説明する。図４は、画像読み取り部１４に備えられるＡＤＦ２２の一部を示す概略断面図である。理解の容易の観点から、図４において、部材のハッチングを省略している。
【００１７】
図４を参照して、ＡＤＦ２２は、原稿セット台３１と、ピックアップローラー３２と、分離ローラー３３と、搬送ローラー３４、３５、３６と、排紙ローラー３７と、排紙トレイ３８とを含む。原稿セット台３１には、搬送される複数の原稿３９がセットされる。ピックアップローラー３２は、原稿セット台３１にセットされた原稿３９を順次下流側へ供給する。分離ローラー３３は、搬送する原稿３９を一枚ごとに分離する。原稿３９の搬送方向の上流側から順に設けられた搬送ローラー３４、３５、３６はそれぞれ、原稿３９を読み取り位置４１まで搬送する。排紙ローラー３７は、読み取り位置４１で読取られた原稿３９を排紙する。排紙トレイ３８は、排紙された原稿３９が載置される。なお、図４における副走査方向を、図４中の矢印Ｄ１またはその逆の方向で示している。
【００１８】
ＡＤＦ２２を含む画像読み取り部１４は、透明板４２と、コンタクトガラス４３と、不図示のキャリッジとを含む。透明板４２は、原稿３９の搬送方向における搬送ローラー３６と対向する位置に設けられる。コンタクトガラス４３は、透明板４２の副走査方向の隣り合う位置に設けられる。コンタクトガラス４３は、原稿３９を載置して原稿３９の画像を読み取らせる際の載置面となる。キャリッジは、透明板４２およびコンタクトガラス４３の下部領域において配置される。キャリッジは、副走査方向に移動可能である。
【００１９】
また、画像読み取り部１４は、光源４４と、複数のミラー（図示せず）と、光を集光するレンズ（図示せず）と、イメージセンサーとしてのＣＣＤ（Ｃｈａｒｇｅ  Ｃｏｕｐｌｅｄ  Ｄｅｖｉｃｅ）センサー４５とを含む。光源４４は、ＡＤＦ２２によって搬送された原稿３９に対して透明板４２を透過させて光を照射する。光源４４は、いわゆる複数のＬＥＤ（Ｌｉｇｈｔ  Ｅｍｉｔｔｉｎｇ  Ｄｉｏｄｅ）を主走査方向に配置することにより構成されている。キャリッジは、光源４４と、複数のミラーのうちの一部を含む。ＡＤＦ２２によって搬送される原稿３９の画像を読み取る際に、キャリッジは、透明板４２の下部の位置に停止される。光源４４は、原稿３９の画像を読み取る読み取り位置４１に向かって光を照射する。そして、透明板４２の上側、具体的には、読み取り位置４１の上に搬送された原稿３９から反射される反射光を複数のミラーおよびレンズによって集光し、ＣＣＤセンサー４５に入力させることにより、読み取り位置４１上に搬送された原稿３９の画像を読み取る。
【００２０】
なお、閉じた状態で光源４４の上部を覆うように開閉可能なＡＤＦ２２は、載置台となるコンタクトガラス４３上に載置された原稿３９を押さえる原稿押さえとしても機能する。すなわち、ＡＤＦ２２は、コンタクトガラス４３上に載置された原稿３９を押さえる原稿押さえも兼用する構成である。なお、ＡＤＦを閉じた状態においては、光源４４からの光が、ＡＤＦ２２と複合機１１の本体との隙間から若干漏れ出てくる。
【００２１】
コンタクトガラス４３上に載置された原稿３９については、以下のようにして原稿３９の画像が読み取られる。すなわち、光源４４を含むキャリッジが、図４中の矢印Ｄ１で示す方向に移動する。そして、キャリッジを移動させながら、原稿３９側に光源４４から光を照射し、反射光を複数のミラーおよびレンズによって集光し、ＣＣＤセンサー４５に入力させる。このようにして、コンタクトガラス４３上に搬送された原稿３９の画像データを読み取る。
【００２２】
次に、サーバー５１の構成について説明する。サーバー５１は、ネットワーク２３を介して、複合機１１に接続可能に構成されている。サーバー５１には、ディスプレイ５７と、キーボード５８と、マウス５９とが接続されている。ディスプレイ５７により、サーバー５１からの情報やデータが表示される。また、キーボード５８およびマウス５９を用いて、ユーザーは、サーバー５１へのデータの入力を行う。
【００２３】
サーバー５１は、サーバー制御部５２と、ネットワーク２３と接続するためのサーバーネットワークインターフェース部５３と、記憶部としてのサーバーハードディスク５４とを含む。サーバー制御部５２は、サーバー５１自身を制御する。サーバーハードディスク５４は、いわゆるデータベースであり、受信した画像データや入力されたデータ等が記憶されている。サーバーハードディスク５４には、複合機１１から送信された画像データが、送信したユーザーを認証するパスワードと紐付けて記憶されている。
【００２４】
サーバー制御部５２は、パスワード認証部５５と、記憶装置送信制御部としてのサーバー送信制御部５６とを含む。パスワード認証部５５は、携帯端末装置６１ａから送信されたパスワードと、サーバーハードディスク５に記憶されたパスワードが一致するか否かを判断する。双方のパスワードが一致すれば、パスワードの認証が成功したと判断する。サーバー送信制御部５６は、パスワード認証部５５により、パスワードの認証が成功すれば、画像データを携帯端末装置６１ａ、６１ｂに送信するよう制御する。
【００２５】
次に、携帯端末装置６１ａの構成について説明する。なお、携帯端末装置６１ｂの構成については、携帯端末装置６１ａの構成と同じであるため、その説明を省略する。
【００２６】
携帯端末装置６１ａは、ネットワーク２３を介して、サーバー５１と接続可能に構成されている。携帯端末装置６１ａは、携帯端末装置制御部６２と、ネットワーク２３と接続するための携帯端末装置ネットワークインターフェース部６３と、タッチパネル６４と、撮像部としての撮像カメラ６５と、携帯端末装置記憶部６６とを含む。携帯端末装置制御部６２は、携帯端末装置６１ａ自身を制御する。タッチパネル６４は、携帯端末装置６１ａ側から発信する情報やユーザーの入力内容を表示する。また、タッチパネル６４は、ユーザーからの種々の操作内容の入力を受け付ける。撮像カメラ６５は、携帯端末装置６１ａの外部の状況をカメラ機能によって撮像し、携帯端末装置６１ａに取り込むことができる。携帯端末装置記憶部６６は、種々のデータを記憶する。ここでは、後述する抽出部６８による抽出に利用される光源４４の点滅パターンに対応するパスワードおよびサーバー５１のアドレス情報が記憶されている。
【００２７】
携帯端末装置制御部６２は、不揮発性メモリ６７と、抽出部６８と、携帯端末装置送信制御部６９とを含む。不揮発性メモリ６７は、一時的に種々のデータを記憶する。抽出部６８は、撮像カメラ６５で撮像された光源４４の点滅パターンから、パスワードおよびサーバー５１のアドレス情報を抽出する。携帯端末装置送信制御部６９は、抽出部６８により抽出されたサーバー５１のアドレス情報に基づいて、抽出部６８により抽出されたパスワードをサーバー５１に送信するよう制御する。
【００２８】
次に、複合機１１に備えられる複合機制御部１２の構成について説明する。図５は、複合機制御部１２の構成を示すブロック図である。図５を参照して、複合機制御部１２は、パスワード設定部２５と、画像処理装置送信制御部としての複合機送信制御部２６と、点滅パターン生成部２７と、光源点滅制御部２８と、表示制御部２９とを含む。パスワード設定部２５は、画像読み取り部１４により読み取られた原稿３９の画像データにパスワードを設定する。複合機送信制御部２６は、画像読み取り部１４により読み取られた原稿の画像データ、およびパスワード設定部２５により設定されたパスワードをサーバー５１に送信するよう制御する。点滅パターン生成部２７は、パスワード設定部２５により設定されたパスワード、およびサーバー５１へネットワーク接続する際のサーバー５１のアドレス情報から、光源４４の点滅パターンを生成する。光源点滅制御部２８は、点滅パターン生成部２７により生成された光の点滅パターンで、光源４４を点滅させるよう制御する。表示制御部２９は、サーバー５１から送信された画像データが送信された旨を表示画面２１に表示するよう制御する。これらの説明については、後に詳述する。
【００２９】
次に、画像処理システム２４を用いて、複合機１１により読み取られた原稿３９の画像データを、携帯端末装置６１ａ、６１ｂにおいて取得する場合について説明する。図６は、複合機１１により読み取られた原稿３９の画像データを、携帯端末装置６１ａ、６１ｂにおいて取得する場合の処理の流れを示すフローチャートである。
【００３０】
図６を参照して、まず、ユーザーは、複合機１１が設置されている箇所に赴き、ワンタイムスキャンモードを設定する（図６において、ステップＳ１１、以下、「ステップ」を省略する）。ワンタイムスキャンモードとは、一回限りの読み取りのことをいう。この場合、後に携帯端末装置６１ａ、６１ｂによって取得する原稿３９の画像データの一回限りの読み取りをいう。
【００３１】
その後、ユーザーにより、ＡＤＦ２２に原稿３９がセットされると、複合機１１はこれを検知する（Ｓ１２において、ＹＥＳ）。そして、操作部１３のスタートキーの押下等を契機として、画像読み取り部１４は、原稿３９の画像データを読み取る（Ｓ１３）。
【００３２】
画像読み取り部１４により原稿３９の画像データが読み取られた後、パスワード設定部２５は、画像読み取り部１４により読み取られた原稿３９の画像データにパスワードを設定する（Ｓ１４）。このパスワードは、後に携帯端末装置６１ａ、６１ｂからサーバー５１に接続させるために用いられるパスワードである。
【００３３】
パスワードを設定後、複合機送信制御部２６は、画像読み取り部１４により読み取られた原稿３９の画像データ、およびパスワード設定部２５により設定されたパスワードをサーバー５１に送信するよう制御する（Ｓ１５）。この場合、ネットワーク２３を介して、複合機１１からサーバー５１へ画像データ等が送信される。送信された画像データは、パスワードに紐付けられて、サーバーハードディスク５４に記憶される。
【００３４】
その後、点滅パターン生成部２７は、パスワード設定部２５により設定されたパスワード、およびサーバー５１へネットワーク接続する際のサーバー５１のアドレス情報から、光源４４の点滅パターンを生成する（Ｓ１６）。
【００３５】
図７は、光源４４の点滅パターンの例を示す図である。図７中の横軸は、経過時間を示し、縦軸は、光源４４の点滅パターン、すなわち、光源４４のオン状態またはオフ状態を示す。図７を参照して、点滅パターン生成部２７は、パスワード等に応じてオンの状態の時間およびタイミングを変更させた図７中の実線４６ａや実線４６ｂのような光源４４の点滅パターンを生成する。
【００３６】
そして、光源点滅制御部２８は、生成された光源４４の点滅パターンで、光源４４を点滅させる（Ｓ１７）。すなわち、生成された光源４４の点滅パターンに沿って、光源４４のオンとオフとを繰り返す。この場合、原稿押さえとしてのＡＤＦ２２は、図２に示すように開いた状態とする。
【００３７】
この光源４４の点滅パターンを、携帯端末装置６１ａ、６１ｂに備えられる撮像カメラ６５によりそれぞれ取得する（Ｓ１８）。すなわち、ユーザーは、撮像カメラ６５の図示しないレンズをコンタクトガラス４３側に向けて、光源４４の点滅パターンを撮像して取得する。撮像された光源４４の点滅パターンについては、不揮発性メモリ６７に一時的に記憶される。この場合、光源４４の撮像できる場所が比較的大きいため、二台の携帯端末装置６１ａ、６１ｂにおいて、ほぼ同時に撮像することができる。
【００３８】
その後、抽出部６８は、撮像カメラ６５で撮像された光源４４の点滅パターンから、パスワードおよびサーバー５１のアドレス情報を抽出する（Ｓ１９）。この場合、抽出部６８は、具体的には、例えば、予め携帯端末装置記憶部６６に記憶された複数の点滅パターンから、撮像カメラ６５によって撮像された光源４４の点滅パターンを比較して一致するものを探し出し、一致した点滅パターンに対応するパスワードおよびこのパスワードに紐付けられたサーバー５１のアドレス情報を抽出する。
【００３９】
次に、抽出部６８により抽出されたサーバー５１のアドレス情報およびパスワードから、サーバー５１にアクセスする（Ｓ２０）。具体的には、抽出されたパスワードおよびサーバー５１のアドレス情報のうち、まず、サーバー５１のアドレス情報に基づいてサーバー５１にアクセスする。そして、サーバー５１から携帯端末装置６１ａ、６１ｂに対して問い合わせされたパスワードを、タッチパネル６４を介して入力する。
【００４０】
図８は、この場合のタッチパネル６４に表示される表示画面の一例を示す図である。図８を参照して、タッチパネル６４には、「サーバーにアクセスしました。パスワードを入力してください。」とのメッセージ７１と、パスワードを入力させるためのパスワードの入力領域７２と、「確定」と表記されており、タップにより入力領域７２に入力されたパスワードの確定を行う確定キー７３とが表示されている。ユーザーは、入力領域７２にパスワードを入力した後、確定キー７３をタップする。
【００４１】
そうすると、携帯端末装置送信制御部６９により、パスワードがサーバー５１に送信される。サーバー５１に備えられるパスワード認証部５５は、受信したパスワードが、サーバーハードディスク５に記憶されたパスワードが一致するか否かを判断する（Ｓ２１）。双方のパスワードが一致すれば、パスワードの認証が成功したと判断する（Ｓ２１において、ＹＥＳ）。
【００４２】
パスワードの認証が成功すれば、サーバー送信制御部５６は、サーバー５１から携帯端末装置６１ａに画像データを送信する（Ｓ２２）。すなわち、サーバー５１側から携帯端末装置６１ａに、画像データを送信する。パスワードの認証、および画像データの送信については、携帯端末装置６１ｂについても、同様である。すなわち、パスワードの認証が成功すれば、携帯端末装置６１ｂにも、画像データを送信する。
【００４３】
このようにして、携帯端末装置６１ａ、６１ｂは、サーバー５１から画像データを受信し、画像データを取得する（Ｓ２３）。なお、ここで、サーバー５１は、複合機１１に対し、携帯端末装置６１ａ、６１ｂに画像データを送信した旨を送信する（Ｓ２４）。複合機１１は、サーバー５１側から、携帯端末装置６１ａ、６１ｂに画像データが送信された旨のデータを受信する（Ｓ２５）。そして、表示制御部２９により、サーバー５１から送信された画像データが送信された旨のデータを表示画面２１に表示するよう制御する。その後、処理を終了する。
【００４４】
なお、上記の実施の形態において、パスワードの認証が成功しなければ（Ｓ２１において、ＮＯ）、そのまま処理を終了する。すなわち、画像データを携帯端末装置６１ａ、６１ｂに送信することなく、処理を終了する。
【００４５】
このような構成の画像処理システム２４によると、まず、複合機１１に備えられる画像読み取り部１４により読み取られた原稿３９の画像データは、ネットワーク２３を介してサーバー５１に送信され、記憶される。そして、携帯端末装置６１ａ、６１ｂは、複合機１１のうち、画像読み取り部１４に含まれる光源４４の点滅パターンを撮像することにより、画像データが記憶されているサーバー５１のアドレス情報およびパスワードを取得することができる。そうすると、Ｗｉ−ｆｉ通信等を利用して携帯端末装置６１ａ、６１ｂを複合機１１に直接接続することなく、サーバー５１のアドレス情報およびパスワードを利用して、サーバー５１側から携帯端末装置６１ａ、６１ｂに画像データを入手することができる。光源４４は、画像読み取り部１４に設けられているため、新たなハード構成を追加する必要はない。したがって、手軽に複合機１１によって読み取られた原稿３９の画像データを携帯端末装置６１ａ、６１ｂ側で取得することができる。
【００４６】
この場合、二台の携帯端末装置６１ａ、６１ｂのそれぞれで、ほぼ同時に画像データを取得することができる。したがって、利便性のよい画像処理システムとなる。なお、このような構成は、複合機１１の操作部１３の表示画面２１に表示された二次元バーコードやＱＲコード（登録商標）を撮像カメラ６５で撮像し、携帯端末装置６１ａ、６１ｂを認証して画像データを複合機１１から送信する構成と比較して、より操作性の良好なものとなる。すなわち、二次元バーコードを二台の携帯端末装置６１ａ、６１ｂで撮像する際には、順番に撮像する必要があるが、光源４４の点滅パターンについては、二台の携帯端末装置６１ａ、６１ｂでほぼ同時に撮像することができる。したがって、操作性の良いものとなる。
【００４７】
また、この場合、表示制御部２９により、サーバー５１から送信された画像データが送信された旨を表示画面２１に表示するよう制御しているため、ユーザーは、表示画面２１による表示により、画像データが携帯端末装置６１ａ、６１ｂに送信された旨を確認することができる。
【００４８】
なお、上記の実施の形態においては、ＡＤＦ２２を開けた状態で、光源４４の点滅パターンを撮像カメラ６５により撮像することとしたが、これに限らず、ＡＤＦ２２を閉じた状態で、光源４４の点滅パターンを撮像カメラ６５により撮像することとしてもよい。すなわち、光源点滅制御部２８は、原稿押さえが閉じられている状態で、光源４４を点滅させるよう制御するよう構成してもよい。ＡＤＦ２２を閉じた状態では、ＡＤＦ２２とコンタクトガラス４３との間に、若干の隙間が生じる。この隙間から漏れる光源４４の点滅パターンを撮像カメラ６５で撮像するようにする。こうすることにより、より高いセキュリティを確保することができる。また、セキュリティの確保の観点から、光源４４の点滅について、ＡＤＦが開いている状態では行わないようにしてもよい。また、同じくセキュリティの確保の観点から、所定の方向にしか、光源４４の光が漏れないよう構成してもよい。
【００４９】
また、上記の実施の形態において、光源４４の点滅パターンについて、光の三原色であるレッド、グリーン、ブルーのそれぞれが光源４４に含まれている場合、どの色にどの情報を含むかを選択可能にしてもよい。すなわち、光源４４は、レッド、グリーン、ブルーの三つの光源要素を有し、点滅パターン生成部２７は、光源要素のいずれかを用いて、点滅パターンを生成するよう構成するようにする。具体的には、例えば、レッドの点滅パターンで、パスワードの情報を伝達し、グリーンの点滅パターンで、サーバー５１のアドレス情報を伝達し、ブルーについては、ダミーとする。このように構成することにより、さらに高いセキュリティを確保することができる。
【００５０】
なお、サーバー５１へのアクセスについては、ワンタイム、すなわち、一度きりとするよう構成してもよい。こうすることにより、ユーザーが携帯端末装置６１ａに画像データを取得した後、点滅パターンを盗み見た悪意の第三者に、画像データが取得されることを防止することができる。
【００５１】
また、上記の実施の形態において、サーバー５１と携帯端末装置６１ａ、６１ｂとは、Ｗｉ−ｆｉ（ワイファイ）または４Ｇ回線で接続されていることにしてもよい。こうすることにより、より円滑な画像データの送信等を行うことができる。
【００５２】
なお、上記の実施の形態において、画像データが送信された旨を複合機１１において表示等しない構成としてもよい。こうすることにより、より簡素な構成とすることができる。
【００５３】
また、上記の実施の形態において、画像処理システム２４は、二台の携帯端末装置６１ａ、６１ｂを含むこととしたが、これに限らず、携帯端末装置６１ａは、一台であってもよいし、三台以上含まれることとしてもよい。
【００５４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５５】
この発明に係る画像処理システムは、画像処理装置によって読み取られた原稿の画像データの携帯端末装置側での容易な取得が要求される場合に、特に有効に利用される。
【符号の説明】
【００５６】
１１  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  画像処理システム、２５  パスワード設定部、２６  複合機送信制御部、２７  点滅パターン生成部、２８  光源点滅制御部、２９  表示制御部、３１  原稿セット台、３２  ピックアップローラー、３３  分離ローラー、３４，３５，３６  搬送ローラー、３７  排紙ローラー、３８  排紙トレイ、３９  原稿、４１  読み取り位置、４２  透明板、４３  コンタクトガラス、４４  光源、４５  ＣＣＤセンサー、４６ａ，４６ｂ  実線、５１  サーバー、５２  サーバー制御部、５３  サーバーネットワークインターフェース部、５４  サーバーハードディスク、５５  パスワード認証部、５６  サーバー送信制御部、５７  ディスプレイ、５８  キーボード、５９  マウス、６１ａ，６１ｂ  携帯端末装置、６２  携帯端末装置制御部、６３  携帯端末装置ネットワークインターフェース部、６４  タッチパネル、６５  撮像カメラ、６６  携帯端末装置記憶部、６７  不揮発性メモリ、６８  抽出部、６９  携帯端末装置送信制御部、７１  メッセージ、７２  入力領域、７３  確定キー。
【図１】
2018007025.tif 000003
【図２】
2018007025.tif 000004
【図３】
2018007025.tif 000005
【図４】
2018007025.tif 000006
【図５】
2018007025.tif 000007
【図６】
2018007025.tif 000008
【図７】
2018007025.tif 000009
【図８】
2018007025.tif 000010